(57)【要約】【課題】  シート状商品見本を安定に保持し、しかもその着脱作業を簡易に行い得る取り扱い性の良い自動販売機の商品見本展示装置を提供する。【解決手段】  前面を上記シート状商品見本の支持面とした見本展示体の前面の下端部から中腹部に掛けて、シート状商品見本の両側縁部を支持する溝を形成した左右一対の支持ガイド体を平行に突設し、この支持ガイド体の上端部が位置する前記見本展示体の前面中腹部にその背面側に湾曲した凹面をなすシート状商品見本挿入ガイド部を形成する。また見本展示体の前面上端部にシート状商品見本の上端部との間に隙間を形成する後退面を設ける。【選択図】      図５
2006260202.tif 000002
【特許請求の範囲】
【請求項１】
シート状商品見本を保持して自動販売機に組み込まれる商品見本展示装置であって、
前面をシート状商品見本の支持面とした見本展示体と、
この見本展示体の前面の下端部から中腹部に掛けて前記シート状商品見本の横幅に相当する間隔を隔てて平行に突設されて、前記見本展示体の前面に前記シート状商品見本を位置付けて該シート状商品見本の両側縁部を支持する溝を形成した一対の支持ガイド体と、
前記見本展示体の前面中腹部の上記支持ガイド体の上端部が位置する領域に該見本展示体の幅方向に亘って設けられて前記見本展示体の背面側に湾曲した凹面をなすシート状商品見本挿入ガイド部と
を具備したことを特徴とする自動販売機の商品見本展示装置。
【請求項２】
前記見本展示体は、その前面上端部に該見本展示部の前面に支持された前記シート状商品見本の上端部との間に該シート状商品見本の幅方向に亘って隙間を形成する後退面を備えたものである請求項１に記載の自動販売機の商品見本展示装置。
【請求項３】
前記見本展示体は、透明体にて形成された前面板の裏側に、立体商品見本を収納可能な空間を形成した箱状体からなる請求項１に記載の自動販売機の商品見本展示装置。
【請求項４】
前記見本展示体は、販売対象商品の外観寸法と略等しい大きさのものであって、立体商品見本に代えて商品展示棚に載置して用いられるものである請求項１に記載の自動販売機の商品見本展示装置。
【発明の詳細な説明】
【技術分野】
【０００１】
本発明は、シート状商品見本を保持して展示するに好適な自動販売機の商品見本展示装置に関する。
【背景技術】
【０００２】
たばこ等のパッケージ商品の自動販売機は、通常、箱形の販売機本体の前面部に設けた前扉の前面に、商品見本展示部（商品見本展示装置）や、この商品見本展示部に展示された商品見本を選択的に指定する商品選択釦、更には金銭投入口や釣り銭払出口等を設けて構成される（例えば特許文献１を参照）。商品見本展示部は、販売対象とするパッケージ商品（例えばたばこ）の見本を並べて展示する複数段の商品展示棚を備えたもので、商品選択釦は上記各商品見本展示棚に展示される複数の商品見本に対応付けて設けられる。そして自動販売機は、上記商品選択釦が選択的に押圧操作されたとき、その商品選択釦が対応付けられた商品見本により特定されるパッケージ商品を選択的に払い出すものとなっている。
【０００３】
尚、たばこ等の箱形のパッケージ商品は、商品種別（銘柄）毎に分類されて販売機本体の内部に設けられた複数列の商品コラムにそれぞれ積み重ねて収納される。また商品展示部に展示される商品見本は、専ら、商品の外観（形状・デザイン）を模して製作されたプラスチック製の立体商品見本（立体ダミー）として提供されるが、パッケージ商品そのものを見本として前記商品見本展示部に展示する場合もある。
【特許文献１】特開２００２−２７９４９７号公報
【発明の開示】
【発明が解決しようとする課題】
【０００４】
ところで立体商品見本を商品種別（銘柄）毎に準備するには多大な経費が嵩むことが否めない。またパッケージ商品そのものを見本として用いた場合、当該商品を販売することができないと言う不具合がある。そこでプラスチック等からなるシート状の薄板体（フィルム）に商品イメージを印刷した安価なシート状商品見本（フィルムダミー）を前述した商品見本展示部に展示することが考えられている。
【０００５】
しかしながら従来の自動販売機における商品展示部は、専ら、複数の立体商品見本を並べて展示するように構成されているだけなので、シート状商品見本を如何にして見栄え良く、しかも安定に保持して展示するかと言う点で幾つかの問題を有している。またシート状商品見本を保持して展示する商品見本展示装置を実現するに際しても、シート状商品見本の着脱（交換作業）を如何にして簡単に行い得るようにするかと言う点で、幾つかの課題が残されている。
【０００６】
本発明はこのような事情を考慮してなされたもので、その目的は、シート状商品見本を安定に保持することができることのみならず、シート状商品見本の着脱作業を簡易に行い得るようにした取り扱い性の良い自動販売機の商品見本展示装置を提供することにある。
【課題を解決するための手段】
【０００７】
上述した目的を達成するべく本発明に係る自動販売機の商品見本展示装置は、シート状商品見本を保持するべく自動販売機の商品展示部に組み込まれるものであって、
<ａ>  例えばシート状商品見本と略同等な大きさを有する前面を上記シート状商品見本の支持面とした見本展示体と、
<ｂ>  例えば前記シート状商品見本の全長の略２／３の長さを有し、前記見本展示体の前面の下端部から中腹部に掛けて前記シート状商品見本の横幅に相当する間隔を隔てて平行に突設されて、前記見本展示体の前面に前記シート状商品見本を位置付けて該シート状商品見本の両側縁部を支持する溝を形成した左右一対の支持ガイド体と、
<ｃ>  前記見本展示体の前面中腹部の上記支持ガイド体の上端部が位置する領域に該見本展示体の幅方向に亘って設けられて前記見本展示体の背面側に湾曲した凹面をなすシート状商品見本挿入ガイド部と
を具備したことを特徴としている。
【０００８】
好ましくは前記見本展示体は、請求項２に記載するようにその前面上端部に該見本展示部の前面に支持された前記シート状商品見本の上端部との間に該シート状商品見本の幅方向に亘って隙間を形成する後退面を、例えばその上端が前記見本展示体の背面側に向けて後退する傾斜面として備えることが望ましい。
ちなみに前記見本展示体は、例えば請求項３に記載するように透明体にて形成された前面板の裏側に、立体商品見本を収納可能な空間を形成した箱状体として実現される。或いは前記見本展示体は、請求項４に記載するように販売対象商品の外観寸法と略等しい大きさのものであって、立体商品見本に代えて商品展示棚に載置して用いられるものとして実現される。
【発明の効果】
【０００９】
上記構成の商品見本展示装置によれば、見本展示体の前面の下端部から中腹部に掛けて設けられた左右一対の支持ガイド体の上端部が位置する前記見本展示体の中腹部に、該見本展示体の幅方向に亘って該見本展示体の背面側に湾曲した凹面をなすシート状商品見本挿入ガイド部が設けられている。従って上記支持ガイド体がシート状商品見本の全長よりも短いことと相俟って、前記シート状商品見本挿入ガイド部に倣って、前記支持ガイド体と前記見本展示体の前面との間に前記シート状商品見本の下端部を差し込むだけで、このシート状商品見本を前記見本展示体の前面に簡単に装着することができる。
【００１０】
また前記支持ガイド体に予め装着した、例えばシート状商品見本よりも全長の短いシート状ラベルの裏面側にシート状商品見本を挿入する場合であっても、上記シート状商品見本挿入ガイド部がなす凹面と上記シート状ラベルとの間に隙間が形成されているので、シート状商品見本の追加挿入を簡単に行うことができる。しかも前記左右一対の支持ガイド体が前記見本展示体の前面の下端部から中腹部に掛けて設けられているので、見本展示体の前面に位置付けられたシート状商品見本を安定に保持することができる。
【００１１】
更には請求項２に記載するように、見本展示体の前面上端部に該見本展示部の前面に支持された前記シート状商品見本の上端部との間に該シート状商品見本の幅方向に亘って隙間を形成する後退面を設けておけば、この後退面との間に形成される隙間から前記見本展示体の前面に装着したシート状商品見本の裏面に別のシート状商品見本を容易に挿入することができる。また上記隙間を利用してシート状商品見本の上端部を摘むことができるので、該シート状見本の前記見本展示体からの取り外しを容易に行うことが可能となる等の効果が奏せられる。
【発明を実施するための最良の形態】
【００１２】
以下、図面を参照して本発明の一実施形態に係る自動販売機の商品見本展示装置について、たばこ（シガレット）の自動販売機を例に説明する。
図１は自動販売機の外観とその概略的な内部構造を示す斜視図で、１はその内部に複数種の商品（たばこ）を銘柄別に分類して収納した、例えば高さ約１８０ｃｍ，幅約８０ｃｍ、奥行き約５０ｃｍの箱形の販売機本体であり、２はその前面部に開閉自在に設けられた前扉である。この前扉２の前面には、図１(ａ)に示すように販売対象とする複数の商品見本を展示する商品見本展示部３、およびこの商品見本展示部３に展示された商品を選択的に指定する為の複数の商品選択釦４が設けられている。
【００１３】
上記商品見本展示部３は、複数種の商品見本（ダミー）を載置して展示する複数段の商品展示棚を備え、その前面部を透明なアクリル板等により覆ったものである。また前記商品選択釦４は上記各商品展示棚に展示された商品見本（ダミー）にそれぞれ対応付けて前記前扉２の前面側から押圧操作可能に、前記各商品展示棚の前端部にそれぞれ設けられている。また前扉２の前面における略中央高さ位置の右側領域には、コイン投入口５ａ，紙幣投入口５ｂ，投入金額等を表示する表示器５ｃ、および釣り銭返却レバー５ｄ等からなる金銭処理機構５が設けられている。更に前記前扉２の前面における低部位置には、前記商品選択釦４の選択的（択一的）な操作に伴って販売機本体１から選択的に払い出された商品を取り出す為の商品取出口６や釣り銭返却口７、更には前扉２の開閉レバー８等が設けられている。
【００１４】
尚、前記前扉２は、販売機本体１の前端部右側を回動支点として左開きに開閉自在に設けられている。そして図１(ｂ)に前扉２を開けた状態を示すように、販売機本体１の内部にはパッケージ商品（たばこ）を銘柄別に分類して積み重ねて収納する複数列の商品コラム１ａが多段に設けられており、更に中扉９にも複数列の商品コラム９ａが多段に設けられている。これらの商品コラム１ａ,９ａは前扉２を閉じたときに所定の間隔を隔てて平行に対峙し、これらの商品コラム１ａ,９ａ間に形成される空間部を上記各商品コラム１ａ,９ａから選択的に払い出された商品（たばこ）を前記商品取出口６に導く為の商品ガイド（中央シュート）として形成するものとなってる。
【００１５】
また前記前扉２の裏面側には、この前扉２の裏面側を開放可能に中扉９が設けられている。特にこの中扉９は、前扉２の裏面奥部（販売機本体１の右側）を回動軸として、前扉２を開けた状態においてだけその裏面側に開閉し得るように設けられている。そして図１(ｃ)に中扉９を開けた状態を示すように、前記中扉９の内側面、つまり商品コラム９ａの裏面側には前述した商品展示棚３ａが多段に設けられている。これらの商品展示棚３ａへの商品見本の載置（展示）等は、この図１(ｃ)に示すように中扉９を開けて行われる。
【００１６】
さて基本的には上述した如く構成されるたばこの自動販売機の商品見本展示部３に組み込まれる商品見本展示装置は、例えば図２(ａ)(ｂ)にその概略的な構成を示すように、その前面に複数枚（例えば４枚）のシート状商品見本（フィルムダミー）Ｆを横並びに保持すると共に、その裏面側に複数個（例えば４個）の立体商品見本（立体ダミー）Ｓを並べて収納する合成樹脂製（プラスチック製）の見本展示体１０を主体として構成される。
【００１７】
特にこの商品見本展示装置は、図３に側面図を、また図４にその分解斜視図を示すように、前面をシート状商品見本（フィルムダミー）Ｆの支持面とした見本展示体１０と、この見本展示体１０の裏面側に一体に装着されて上記見本展示体１０との間に立体商品見本（立体ダミー）Ｓの収納空間を形成する見本保持体２０と、一体化された上記見本展示体１０および見本保持体２０を前傾可能に支持する支持体３０とからなる。この支持体３０は、前述した中扉９の前面に商品見本展示装置を取り付けてこの商品見本展示装置を、ひいてはこの商品見本展示装置に装着されたシート状商品見本Ｆまたは立体商品見本Ｓを自動販売機の前面側から視認可能に前記商品見本展示部３に位置付ける役割を担う。
【００１８】
具体的には前記見本展示体１０は、例えば図４に示すように４枚のシート状商品見本（フィルムダミー）Ｆを横並びにした大きさの略平板状の支持板１１を備えており、この支持板１１の前面を上記各シート状商品見本Ｆを支持面としている。またこの支持板１１の前面には、その下端から中腹部に掛けて前記シート状商品見本Ｆの全長の略２／３の長さを有する複数対（この例では４対）の支持ガイド体１２,１２が前記シート状商品見本Ｆの横幅に相当する間隔を隔てて平行に突設されている。特にこの支持ガイド体１２,１２は、シート状商品見本Ｆだけでなく、後述するシート状商品見本Ｆの全長の１／２〜２／３の長さを有するシート状の価格ラベルや告知ラベル、販売促進用ラベル等の着脱の容易化を図るべく、上述したように短く設定されている。
【００１９】
尚、これらの支持ガイド体１２,１２は、上記支持板１１の前面との間に溝を形成した断面Ｌ字形のものであって、対をなす支持ガイド体１２,１２毎に上記溝を互いに対向させて前記支持体１１の前面に設けられている。これらの支持ガイド体１２,１２は、前記支持体１１の前面に前記シート状商品見本Ｆを位置付けて該シート状商品見本Ｆの両側縁部を支持する役割を担う。見本展示体１０の前面へのシート状商品見本Ｆの装着は、図２(ａ)に示すように見本展示体１０の上方から前記支持板１１の前面に沿ってシート状商品見本Ｆを上記支持ガイド体１２,１２間に差し込み、該シート状商品見本Ｆの両側縁部を前記支持ガイド体１２,１２が形成した溝にそれぞれ挿入することによって行われる。
【００２０】
一方、前記支持板１１の裏面側に装着される見本保持体２０は、図４に示すように前記支持板１１の裏面側に４個の立体商品見本（立体ダミー）Ｓの収納空間をそれぞれ形成する箱形の躯体２１からなる。この見本保持体２０は、その側面板２２に突設された係止爪２３を、前記見本展示体１０の側面板１３に開口された係合孔１４にそれぞれ係合させることで該見本展示体１０に結合一体化される。また上記躯体２１の内部は３枚の仕切板２４により幅方向に区画されており、これらの各区画領域（空間）にはそれぞれその上方から立体商品見本Ｓが挿入可能となっている。
【００２１】
また前記支持体３０は、図４に示すように前述した自動販売機の中扉９に取り付けられる基体３１と、この基体３１の両側部に突設されて上述した見本保持体２０をその両側から挟み込んで支持する一対の支持板３２とを備えている。特にこの支持板３２には、前記見本保持体２０の側面板２２に突設された軸体２５が嵌め込まれる軸受孔３３が形成されており、この軸受孔３３と前記軸体２５とを結合することにより前記見本保持体２０が前傾可能に軸支されるようになっている。
【００２２】
また上記支持板３２には、前記見本保持体２０の側面板２２に弾性変形可能に設けられたストッパ２６が嵌め込まれる嵌合孔３４が形成されている。前記見本保持体２０を直立させて上記嵌合孔３４にストッパ２６を嵌合させることにより前記見本保持体２０の直立姿勢が保持される。そして見本保持体２０の前傾は、前記ストッパ２６を弾性変形させて嵌合孔３４との係合を解除し、見本保持体２０の上端部を手前に引き出すことによって行われる。この見本保持体２０の前傾状態において、図２(ｂ)に示すように前記空間部への立体商品見本Ｓの着脱が行われる。
【００２３】
尚、見本支持体２０の前傾角度（回動角度）は、図３に示すように支持体３０の前方に突出している前記支持板３２の下端縁部３２ａと、前記見本展示体１０の側面板１３の後端部に設けられた三角形状の凹部１６の縁部１６ａとの当接により規制されるようになっている。即ち、見本支持体２０は前記見本展示体１０と結合一体化されており、これらの一体物が前記支持体３０の前面に前傾可能に軸支されている。そして見本展示体１０の側面板１３の縁部１６ａと、支持体３０における支持板３２の下端縁部３２ａとが互いに突き合うことにより上記見本展示体１０のそれ以上の前傾が阻止され、見本支持体２０と見本展示体１０との前傾姿勢が規制されるようになっている。
【００２４】
また前記見本展示体１０および見本保持体２０をそれぞれ透明体または半透明体にて構成し、上記見本展示体１０の前面に装着したシート状商品見本（フィルムダミー）Ｆや、見本展示体１０と見本保持体２０との間の空間に収納した立体商品見本（立体ダミー）Ｓをその裏面側から透過照明する場合には、例えばその照明光源であるマルチカラー型発光ダイオードと、その駆動回路等が前述した支持体３０の内部に組み込まれる。
【００２５】
さて基本的には上述した如く構成された商品見本展示装置においてこの発明が特徴とするところは、図５にその縦断面構造を示すように、見本展示体１０の前面の前述した支持ガイド体１２の上端が位置付けられる中腹部に、その背面側に湾曲した凹面をなすシート状商品見本挿入ガイド部１７が設けられている点にある。このシート状商品見本挿入ガイド部１７は、支持板１１の上下方向に滑らかに変化する窪みをなして支持板１１の幅方向に亘って形成したものである。また前記支持板１１の上端部は、その背面側に向けて後退する傾斜面１８として形成されており、支持板１１の前面に保持されるシート状商品見本Ｆとの間に所定の隙間を形成するようになっている。
【００２６】
支持ガイド体１２の上端部に位置して、前記支持板１１の前面中腹部に上述した凹面をなすシート状商品見本挿入ガイド部１７を形成した商品見本展示装置によれば、シート状商品見本Ｆの下端部を上記挿入ガイド部１７の凹面に押し当て、その凹面に倣ってシート状商品見本Ｆを下方に向けて押し込めば、これによってシート状商品見本Ｆの下端部が支持ガイド体１２の後ろ側にスムースに導かれる。そして支持ガイド体１２と支持板１１の前面との間に形成された溝内に円滑に挿入される。従って支持ガイド体１２がシート状商品見本Ｆの全長の略２／３程度と短く、その上端が支持体１１の中腹部に位置付けられていることと相俟って、支持ガイド体１２へのシート状商品見本Ｆの挿入作業の容易化を図ることができる。
【００２７】
またシート状商品見本Ｆよりも全長の短いシート状の価格ラベルや告知ラベル、販売促進用ラベル（図示せず）を上記支持ガイド体１２に装着した状態で、更にその後ろ側にシート状商品見本Ｆを装着する場合であっても、前述した凹面をなすシート状商品見本挿入ガイド部１７の存在により上記シート状の価格ラベル等と支持体１１の前面との間に隙間が形成されているので、シート状商品見本Ｆの追加挿入を非常に簡単に行うことができる。特に前述したようにシート状商品見本Ｆの下端部を上記挿入ガイド部１７の凹面に押し当て、その凹面に倣ってシート状商品見本Ｆを下方に向けて押し込むだけで、該シート状商品見本Ｆをシート状の価格ラベルの後ろ側に重ねて装着することができる。更には上述したように凹面をなすシート状商品見本挿入ガイド部１７の存在により上記シート状の価格ラベルと支持体１１の前面との間に隙間が形成されているので、価格ラベルの上端部を容易に摘むことができるので、その取り外しを容易に行うことができる。
【００２８】
また上記構成の商品見本展示装置によれば、支持板１１の前面上端部がその背面側に向けて後退する傾斜面１８として形成されているので、該支持板１１の前面に保持されたシート状商品見本Ｆの上端との間に隙間が形成される。従ってシート状商品見本Ｆの上端を摘んで該シート状商品見本Ｆを取り外すことが容易であり、またこのシート状商品見本Ｆの裏面側に別のシート状商品見本Ｆを装着する場合であっても、上記隙間を利用してその挿入を容易に行うことが可能である。
【００２９】
この結果、支持体１１の前面中腹部に凹面をなす挿入ガイド部１７を設け、更にその上端に背面側に向けて後退する傾斜面１８を設けると言う簡単な構成で、シート状商品見本Ｆの着脱作業の大幅な容易化を図ることができ、その取り扱い性の向上を図ることができる。しかもこの商品見本展示装置は、シート状商品見本Ｆの展示を主目的として構成されており、必要に応じて立体商品見本Ｓを装着可能な構造を採用しているので、展示すべき商品見本がいずれの場合であっても対応可能である。
【００３０】
また前述した支持ガイド体１２については、図６に示すようにその上端部を外側に向けて拡がるテーパ面１２ａとして形成しておけば、一対の支持ガイド体１２,１２の上端部における開口幅を拡げることができるでの、該支持ガイド体１２が形成した溝内へのシート状商品見本Ｆの挿入の容易化を図ることができる。また支持ガイド体１２の下端部前面を切欠き１２ｂを設けて開放した構造としておけば、その溝内に不本意に塵やゴミが溜まることを防止することができ、溝内の清掃の容易化を図ることができる。従ってゴミ等の存在により、シート状商品見本Ｆによって呈示される販売対象商品のイメージが損なわれる虞もない等の二次的な効果も奏せられる。
【００３１】
尚、本発明は上述した実施形態に限定されるものではない。例えば図７に示すように商品見本展示装置を、立体商品見本に代えて従来一般的な商品展示棚に載置されるアダプタ４０として実現することの可能である。この場合にも、シート状商品見本Ｆを保持するアダプタ４０の前面に前述したガイド支持体１２を設けると共に、このガイド支持体１２の上端に位置するアダプタ４０の前面中腹部に、凹面をなすシート状商品見本挿入ガイド部１７を設け、更にその前面上端部に、背面側に向けて後退する傾斜面１８を設けるようにすれば良い。その他、本発明はその要旨を逸脱しない範囲で種々変形して実施することができる。
【図面の簡単な説明】
【００３２】
【図１】本発明に係る商品見本展示装置が組み込まれる自動販売機の概略的な構造を示す図。
【図２】本発明の一実施形態に係る商品見本展示装置の概略構成を示す斜視図。
【図３】図２に示す商品見本展示装置の側面図。
【図４】図２に示す商品見本展示装置の分解斜視図。
【図５】図２に示す商品見本展示装置の縦断面図。
【図６】図２に示す商品見本展示装置の部分正面図。
【図７】本発明の別の実施形態に係る商品見本展示装置の概略構成図。
【符号の説明】
【００３３】
１０  見本展示体
１１  支持板
１２  支持ガイド体
１７  凹面をなすシート状商品見本挿入ガイド部
１８  傾斜面（後退面）
２０  見本保持体
３０  支持体
Ｆ  シート状商品見本（フィルムダミー）
Ｓ  立体商品見本（立体ダミー）
【図１】
2006260202.tif 000003
【図２】
2006260202.tif 000004
【図３】
2006260202.tif 000005
【図４】
2006260202.tif 000006
【図５】
2006260202.tif 000007
【図６】
2006260202.tif 000008
【図７】
2006260202.tif 000009